(57)【要約】【課題】  複数の利用者毎にリモコンを所持し、電子機器内にリモコン毎の設定を記憶し、容易にそれを呼び出すことが可能とする遠隔制御システム。【解決手段】  １つの電子機器２に対して複数のリモコン１ａ及び１ｂを備え、リモコンを識別するための識別コードをリモコン１ａ及び１ｂの内部に備え、電子機器２はリモコンによって送信された識別コードに合致した設定情報を呼び出し、電子機器２の設定として反映する。【選択図】      図１
2006304078.tif 000002
【特許請求の範囲】
【請求項１】
複数のリモコンによって電子機器を制御する遠隔制御システムであって、前記リモコンには該リモコンを前記電子機器で特定するための識別コードを記憶する識別コード記憶手段と、該識別コードをリモコンの操作信号と共に送信する信号送信手段を備え、前記電子機器は、前記リモコンから送信される前記識別コードを認識する認識手段と、前記認識手段により認識した前記識別コードから設定記憶手段に記憶された識別コード毎の設定内容で電子機器を制御する制御手段を備えたことを特徴とする個別設定可能な遠隔制御システム。
【請求項２】
前記リモコンにより前記電子機器の電源をオフにした際の設定情報を、前記リモコンから送信された前記識別コードに対する設定情報として前記設定記憶手段により記憶することを特徴とする請求項１に記載の個別設定可能な遠隔制御システム。
【請求項３】
請求項１又は２に記載の個別設定可能な遠隔制御システムを備えたことを特徴とする個別設定可能な遠隔制御システムを備えた電子機器。
【発明の詳細な説明】
【技術分野】
【０００１】
本発明は、複数のリモコン毎に電子機器の設定を記憶することが可能な、個別設定可能な遠隔制御システム及びそれを備えた電子機器に関する。
【背景技術】
【０００２】
従来、オーディオビジュアル機器（以下ＡＶ機器）に代表される多くの電子機器においては、利用者の用途や環境、嗜好により設定を変更することが可能となっている。しかしながら、多くのＡＶ機器は、設定項目に対し設定値を１つしか記憶できず、一般家庭においては複数の利用者により使用されており、利用者毎の用途や嗜好を反映するためには、利用者が電子機器を利用する度に設定を確認し、他者が使用していた場合、再度自身の用途や嗜好に合わせた設定をしなくてはならなかった。これを解決するために種々の方法が開示されている。
【０００３】
例えば、特許文献１によれば、モニタなどの表示機器に利用者の設定・判別用ＧＵＩ（Ｇｒａｐｈｉｃａｌ  Ｕｓｅｒ  Ｉｎｔｅｒｆａｃｅ）を表示し、利用者毎にプロフィール及び設定を登録し、電子機器を使用する際に、利用者が前記ＧＵＩを通して本人であることが確認できた場合、その利用者が登録した設定を呼び出す方法を開示している。
【０００４】
また、特許文献２によれば、利用者毎にリモコンを用意し、リモコンに利用者の分類となるＩＤコードを記憶させ、電子機器内部にＩＤコード毎の所定の設定情報を記憶し、リモコンから送信されるＩＤコードと合致した設定情報を呼び出し、電子機器を作動させる方法を開示している。
【０００５】
【特許文献１】特開２００２−３３５５１３号公報
【特許文献２】特開２００４−２５４２１５号公報
【発明の開示】
【発明が解決しようとする課題】
【０００６】
しかしながら、特許文献１の方法では、利用者のプロフィールなどの設定項目が多く、ＧＵＩが複雑となり、設定操作が煩雑となってしまい、更にリモコン自体もボタンの増加など複雑になってしまう。
【０００７】
また、特許文献２の方法では、利用者をリモコンで分けることによって、高度な設定変更や、高齢者向けの簡易設定、青少年向けの視聴制限などを実現することができるが、利用者毎の用途や嗜好などの多岐にわたるニーズに対応することができない。
【０００８】
本発明は上記課題を鑑みてなされたものであり、複数の利用者それぞれの設定を記憶し、その設定を容易に呼び出すことが可能な個別設定可能な遠隔制御システム及びそれを備えた電子機器を提供することを目的とする。
【課題を解決するための手段】
【０００９】
請求項１に係る個別設定可能な遠隔制御システムは、複数のリモコンによって電子機器を制御する遠隔制御システムであって、前記リモコンには該リモコンを前記電子機器で特定するための識別コードを記憶する識別コード記憶手段と、該識別コードをリモコンの操作信号と同時に送信する信号送信手段を備え、前記電子機器は、前記リモコンから送信される前記識別コードを認識する認識手段と、前記認識手段により認識した前記識別コードから前記設定記憶手段に記憶された識別コード毎の設定内容で電子機器を制御する制御手段を備えたことを特徴とする。
【００１０】
請求項１の構成によれば、複数あるリモコンが、それぞれを特定できる識別コードを記憶する記憶手段を持ち、電子機器の操作時にその識別コードを同時に送信することで、電子機器側にどのリモコンによる操作なのかを特定させることができる。電子機器は、設定記憶手段に記憶された識別コード毎の設定情報を、リモコンから送信された識別コードにより特定し、その設定情報を基に制御手段を通して各種設定に反映させることができる。
【００１１】
請求項２に係る個別設定可能な遠隔制御システムは、請求項１に記載の個別設定可能な遠隔制御システムにおいて、前記リモコンにより前記電子機器の電源をオフにした際の設定情報を、前記リモコンから送信された前記識別コードに対する設定情報として前記設定記憶手段により記憶することを特徴とする。
【００１２】
請求項２の構成によれば、電源オフ時に使用したリモコン毎、すなわち識別コード毎に設定を記憶することにより、次回電源オン時にその設定を容易に呼び出すことができる。
【００１３】
請求項３に係る個別設定可能な遠隔制御システムを備えた電子機器は、請求項１又は２に記載の個別設定可能な遠隔制御システムを備えたことを特徴とする。
【００１４】
請求項３の構成によれば、請求項１又は２に記載の個別設定可能な遠隔制御システムを備えることにより、複数の利用者がそれぞれの用途や嗜好に応じた設定を、特別な操作をすることなく使用することができる。
【発明の効果】
【００１５】
請求項１に係る個別設定可能な遠隔制御システムは、電子機器の遠隔制御のための複数のリモコンに識別コードを設けることにより、それぞれのリモコンの利用者を特定し、リモコンによる操作を行う際に操作信号とともに識別コードを送信し、電子機器が備える識別コードの認識手段及び識別コード毎の設定を記憶する設定記憶手段により、識別コード毎、すなわち利用者毎の設定を呼び出し、電子機器を制御することができる。これにより、利用者は電子機器の利用の度に自身の設定を呼び出す必要がなくなり、簡単に個別の設定で電子機器を動作させることができる。
【００１６】
請求項２に係る個別設定可能な遠隔制御システムは、例えばテレビジョン受像機の選択チャンネルや音量などの流動的に設定されるような項目を、電源オフ時に使用したリモコン毎、すなわち識別コード毎に記憶することにより、次回電源オン時に直前の電子機器の利用状況に関わらず、その設定を容易に呼び出すことができる。
【００１７】
請求項３に係る個別設定可能な遠隔制御システムは、請求項１又は２に記載の個別設定可能な遠隔制御システムを備えているので、利用者個人の設定を、その用途や嗜好に応じて、個別に記憶することができる。
【発明を実施するための最良の形態】
【００１８】
以下、本発明を実施するための最良の形態としての実施例１を図１から図４を参照して説明する。もちろん、本発明は、その発明の趣旨に反さない範囲で、実施例１において説明した以外のものに対しても容易に適用可能なことは説明を要するまでもない。
【実施例１】
【００１９】
図１〜図４は、本発明の実施例１を示し、図１は、本実施例の構成を示すブロック図であり、図２は、電子機器の電源オン時における設定情報の呼び出し動作を示すフローチャート図である。図３は、チャンネル切替時の動作を示すフローチャート図であり、図４は、設定変更時の動作を示すフローチャート図である。
【００２０】
本実施例の構成を、図１に基づいて説明する。１ａ及び１ｂはリモコンであり、その構成は内部に備えるメモリに蓄積する識別コード以外は同じである。２はリモコン１ａ及び１ｂで操作を行うことができる電子機器であり、本実施例ではテレビジョン受像機とする。３はリモコン１ａ及び１ｂが内部に備える識別コードを記憶する不揮発性メモリである。４は電子機器２の動作を制御する制御手段である。５はリモコン１ａ及び１ｂから送信された信号から識別コードを抜き出し、認識する認識手段であり、６は認識手段５より取得した識別コードに対応する電子機器２の設定情報を記憶する不揮発性メモリである設定記憶手段である。本発明の個別設定可能な遠隔制御システムは、本実施例において、リモコン１ａ及び１ｂが識別コード有し、その識別コードを用いて設定記憶手段６から識別コード毎の設定情報を呼び出しする。
【００２１】
次に、図２に基づいて、電子機器の電源オン時における設定情報の動作を説明する。識別コード１を有するリモコン１ａを用いて電子機器２の電源を入れる（Ｓ１）。その際、電源オン信号と共にリモコン１ａは識別コード＝１を送信する。その信号を受けて電子機器２は電源をオンにすると共に（Ｓ２）、認識手段５により信号から取得した識別コードを用いて設定記憶手段６から識別コード１における電子機器２の設定情報を取得する（Ｓ３）。取得した設定情報を電子機器２の動作設定に反映する（Ｓ４）。なお、本実施例においては、電子機器２は、識別コードと電源オン信号の両方を受信するので、設定情報を取得してから電源オンにすることも可能であり、電子機器２がリモコン１ａで電源オフされている時には、常にリモコン信号を受信できるように、電子機器２の受光部とマイコンなどの制御手段４には電源が供給されている。
【００２２】
続いて、図３に基づいて、テレビジョン受像機である電子機器２の選局中のチャンネルを、リモコンを用いて変更する際の動作を説明する。ここで、例えばリモコン１ａは所定の３２局のチャンネルを選局でき、リモコン１ｂは所定の１２局に選局できるチャンネル数を制限されている設定であるとする。電子機器２リモコン１ａ又は１ｂにより選局操作を行い、電子機器２でその信号を受信する（Ｓ５）。信号内に含まれる識別コードを認識手段５により判別する（Ｓ６）。その結果、識別コードが１、すなわちリモコン１ａが使用されたと判断された場合、電子機器２の選局可能なチャンネルを識別コード１を用いて設定記憶手段６から呼び出し（Ｓ７）、所定の３２局を選択可能な設定にする（Ｓ８）。認識手段により識別コードが２、すなわちリモコン１ｂが使用されたと判断された場合は、電子機器２の選局可能なチャンネルを識別コード２を用いて設定記憶手段６から呼び出し（Ｓ９）、所定の１２局に選択可能なチャンネルを制限する（Ｓ１０）。
【００２３】
続いて、図４に基づいて、リモコンを用いて電子機器２の設定を変更する際の動作を説明する。リモコン１ａ若しくは１ｂを用いて、電子機器２の設定を図示しない設定メニュー画面により変更する（Ｓ１１）。視聴などを終え、利用者はリモコン１ａ若しくは１ｂを用いて電子機器２の電源をオフにする（Ｓ１２）。電子機器２にて、リモコンから受信した信号から識別コードを認識手段５により取得し、判別をする（Ｓ１３）。識別コードが１の場合は、設定記憶手段から識別コード１の設定情報に対してＳ１１にて変更された設定情報を記憶させる（Ｓ１４）。識別コードが２の場合は、識別コード２の設定情報に対して変更された設定情報を記憶させる（Ｓ１５）。
【００２４】
以上のように、本実施例における電子機器２は、遠隔操作のためのリモコン１ａ及び１ｂを備え、該リモコンは、それぞれを判別できるように識別コードを備える、電子機器２は内部に、リモコンから送信される識別コードの認識手段５と、識別コード毎の設定情報を記憶する設定記憶手段６を備えたことにより、リモコン１ａ及び１ｂを使用し電子機器２を操作する時に、識別コードを同時に送信し、電子機器２の設定を、識別コード毎に設定記憶手段に記憶された設定情報を、送信された識別コードによって呼び出し、電子機器２に反映することできるので、リモコン毎に電子機器２の設定を呼び出すことができる。また、設定記憶手段６は、識別コード毎に電子機器２の設定情報を記憶することができるため、利用者が複数人おり、電子機器の用途や設定の嗜好が異なる場合でも、それぞれに対応して設定し記憶することが可能である。また、電子機器２の電源オフ時に選局していたチャンネル及び音量など、設定が流動的なものを設定記憶手段により識別コード毎、すなわちリモコン毎に記憶することによって、該リモコンによって電源をオンにした際に、リモコン毎の電源オフ時の設定を再現することができる。
【実施例２】
【００２５】
次に本発明の実施例２を説明するが、前記実施例１と同一部分には同一符号を付し、重複する部分の説明を省略し、異なる部分についてのみ説明する。実施例１では電子機器２をテレビジョン受像機としたが、本実施例では電子機器２をエアコンディショナーとする。多くのエアコンディショナーにおいて、温度設定項目の１つに「自動」という室温や外気温に合った最適な運転を自動的に行う運転モードや、室内を所定の温度に変更するために、「冷房」や「暖房」などを選択してから好みの温度に設定する機能を有している。しかし、利用者それぞれにより快適な温度というのは異なるものである。そこで、本発明である遠隔制御システムを備えた、複数の利用者が個別に使用する識別コードを備えたリモコン１ａまたはリモコン１ｂと、識別コード毎に設定温度を記憶する設定記憶手段６を備えた電子機器２であるエアコンディショナーでは、識別コード毎に温度を設定することにより、利用者それぞれが快適な温度設定でエアコンディショナーを動作させることができる。
【実施例３】
【００２６】
次に本発明の実施例３を説明するが、前記実施例１と同一部分には同一符号を付し、重複する部分の説明を省略し、異なる部分についてのみ説明する。本実施例では、電子機器２を明るさの調節が可能な照明器具とする。利用者はそれぞれに好みの明るさがあるため、直前の利用者と好みの明るさが異なる場合、照明器具の調整を行わなくてはならないが、本発明によれば、照明器具の遠隔制御のためのリモコン１ａ及び１ｂを利用者がそれぞれ使用し、設定記憶手段６に好みの明るさを個別に設定することで、電源をオンにした時に、それぞれの好みの明るさで照明を点けることができる。また、複数の照明器具の各電源のオン・オフや明るさを集中制御するような照明システムに適用することも可能である。
【００２７】
以上、本発明の実施例について詳述したが、本発明の前記各実施例に限定されるものではなく、本発明の要旨の範囲内で種々の変形実施は可能である。例えば、リモコンを１ａ及び１ｂの２つとしたが、２つと限定せず、３つ以上の複数のリモコンを使用しても良い。これにより、電子機器２の利用者が複数人に及んだ場合でも、各人で１つずつリモコンを使用することで、それぞれの利用者の嗜好の設定で電子機器の使用をすることが容易となる。更に、リモコン１ａ及び１ｂを識別コードを除いて同様の構成とするとしたが、色や形状、ボタンの数などを異なるものとし、設定や機能の制限などを外観で判断できるように構成しても良い。
【図面の簡単な説明】
【００２８】
【図１】本発明の実施例を示すブロック図である。
【図２】同上、電子機器の電源をオンにする動作を示すフローチャート図である。
【図３】同上、電子機器を操作する際のリモコン識別動作を示すフローチャート図である。
【図４】同上、電子機器の設定を行う際のリモコン識別動作を示すフローチャート図である。
【符号の説明】
【００２９】
１ａ  リモコン（識別コード１のリモコン）
１ｂ  リモコン（識別コード２のリモコン）
２    電子機器
３    識別コード記憶手段
４    制御手段
５    認識手段
６    設定記憶手段
【図１】
2006304078.tif 000003
【図２】
2006304078.tif 000004
【図３】
2006304078.tif 000005
【図４】
2006304078.tif 000006